(57)【要約】【課題】プッシュ型配信で情報を受け取ることができるとともに、電力消費量を削減する。【解決手段】携帯端末１は、現在位置が所定の地域に含まれるとき双方向通信接続をサーバ装置２との間で確立し、双方向通信接続が確立している間、サーバ装置２から情報をプッシュ型配信で受信し、双方向通信接続を確立後、現在位置が所定の地域に含まれなくなったとき、双方向通信接続を切断する。【選択図】図１
2014056399.tif 000002
【特許請求の範囲】
【請求項１】
情報配信サーバから、プッシュ型配信により情報を受信する携帯端末であって、
自装置の現在位置を所定のタイミングで周期的に取得する現在位置取得手段と、
上記現在位置取得手段が取得した現在位置が所定の地域に含まれるとき、接続が確立すると、その後は接続が切断するまで任意のときにデータの送受信が可能である双方向通信接続を、上記情報配信サーバとの間で確立する双方向通信制御手段と、
上記双方向通信制御手段が双方向通信接続を確立している間、上記情報配信サーバから情報をプッシュ型配信により受信する情報受信手段と、を備え、
上記双方向通信制御手段は、上記双方向通信接続を確立した後、上記現在位置取得手段が取得した現在位置が上記所定の地域に含まれなくなったとき、上記双方向通信接続を切断することを特徴とする携帯端末。
【請求項２】
情報配信サーバから、プッシュ型配信により情報を受信する携帯端末であって、
自装置の現在位置を所定のタイミングで取得する現在位置取得手段と、
現在時刻と取得する現在時刻取得手段と、
上記現在位置取得手段が取得した現在位置が所定の地域に含まれ、かつ上記現在時刻取得手段が取得した現在時刻が所定の時間帯に含まれるとき、接続が確立すると、その後は接続が切断するまで任意のときにデータの送受信が可能である双方向通信接続を、上記情報配信サーバとの間で確立する双方向通信制御手段と、
上記双方向通信制御手段が双方向通信接続を確立している間、上記情報配信サーバから情報をプッシュ型配信により受信する情報受信手段と、を備え、
上記双方向通信制御手段は、上記双方向通信接続を確立した後、上記現在位置取得手段が取得した現在位置が上記所定の地域に含まれなくなったとき、または上記現在時刻取得手段が取得した現在時刻が上記所定の時間帯に含まれなくなったとき、上記双方向通信接続を切断することを特徴とする携帯端末。
【請求項３】
上記双方向通信制御手段は、上記現在位置取得手段が取得した現在位置に応じて、異なる情報配信サーバと上記双方向通信接続を確立することを特徴とする請求項１または２に記載の携帯端末。
【請求項４】
上記現在位置取得手段が取得した現在位置から所定の範囲内の地域を上記所定の地域として定めた地域情報を取得する地域情報取得手段と、
上記地域情報を格納している記憶部と、を備えていることを特徴とする請求項１〜３のいずれか１項に記載の携帯端末。
【請求項５】
プッシュ型配信で携帯端末に情報を配信する情報配信サーバであって、
上記携帯端末から、接続が確立すると、その後は接続が切断するまで任意のときにデータの送受信が可能である双方向通信接続の要求を受け付けたとき、該携帯端末と上記双方向通信接続を確立する双方向通信制御手段と、
所定のタイミングで周期的に、上記携帯端末から該携帯端末の現在位置を取得する携帯端末位置取得手段と、
上記双方向通信制御手段が双方向通信接続を確立しているときに、上記携帯端末位置取得手段が取得した上記携帯端末の現在位置が第１地域に含まれる場合、該携帯端末に対し、該第１地域と対応付けられた情報をプッシュ型配信で配信する情報配信手段と、を備え、
上記双方向通信制御手段は、上記情報配信手段が、上記第１地域と対応付けられた情報を全て配信したとき、上記携帯端末との上記双方向通信接続を切断することを特徴とするサーバ装置。
【請求項６】
上記情報配信手段は、上記携帯端末位置取得手段が取得した携帯端末の現在位置が、上記第１地域の一部である第２地域に含まれるとき、該第２地域と対応付けられた情報をプッシュ型配信で配信することを特徴とする請求項５に記載のサーバ装置。
【請求項７】
上記情報配信手段は、配信すべき情報が格納されているＵＲＬ（uniform resource locator）を示すデータを配信することを特徴とする請求項５または６に記載のサーバ装置。
【請求項８】
請求項１〜４のいずれか１項の携帯端末と請求項５〜７のいずれか１項に記載のサーバ装置とを含むことを特徴とする情報配信システム。
【請求項９】
請求項１〜４のいずれか１項に記載の携帯端末を動作させる携帯端末制御プログラムであって、コンピュータを上記の各手段として機能させるための携帯端末制御プログラム。
【請求項１０】
請求項５〜７のいずれか１項に記載のサーバ装置を動作させるサーバ装置制御プログラムであって、コンピュータを上記の各手段として機能させるためのサーバ装置制御プログラム。
【請求項１１】
請求項９に記載の携帯端末制御プログラム、または請求項１０に記載のサーバ装置制御プログラムを記録したコンピュータ読み取り可能な記録媒体。
【請求項１２】
情報配信サーバから、プッシュ型配信により情報を受信する携帯端末の制御方法であって、
自装置の現在位置を所定のタイミングで周期的に取得する現在位置取得ステップと、
上記現在位置取得ステップで取得した現在位置が、所定の地域に含まれるとき、接続が確立すると、その後は接続が切断するまで任意のときにデータの送受信が可能である双方向通信接続を、上記情報配信サーバとの間で確立する双方向通信制御ステップと、
上記双方向通信制御ステップで双方向通信接続を確立している間、上記情報配信サーバから情報をプッシュ型配信により受信する情報受信ステップと、
上記双方向通信制御ステップで上記双方向通信接続を確立した後、取得した現在位置が上記所定の地域に含まれなくなったとき、上記双方向通信接続を切断する双方向通信切断ステップとを含むことを特徴とする携帯端末の制御方法。
【請求項１３】
プッシュ型配信で携帯端末に情報を配信する情報配信サーバの制御方法であって、
上記携帯端末から、接続が確立すると、その後は接続が切断するまで任意のときにデータの送受信が可能である双方向通信接続の要求を受け付け、該携帯端末と上記双方向通信接続を確立する双方向通信制御ステップと、
所定のタイミングで周期的に、上記携帯端末から該携帯端末の現在位置を取得する携帯端末位置取得ステップと、
上記双方向通信制御ステップで双方向通信接続を確立しているときに、取得した上記携帯端末の現在位置が第１地域に入った場合、該携帯端末に対し、該第１地域と対応付けられた情報をプッシュ型配信で配信する情報配信ステップと、
上記情報配信ステップで、上記第１地域と対応付けられた情報を全て配信したとき、上記携帯端末との上記双方向通信接続を切断する双方向通信切断ステップと、を含むことを特徴とするサーバ装置の制御方法。
【発明の詳細な説明】
【技術分野】
【０００１】
本発明は、プッシュ型配信された情報を受け取る携帯端末、携帯端末の制御方法、該携帯端末に情報をプッシュ型配信する情報配信サーバ、該情報配信サーバの制御方法に関するものである。また、該携帯端末および該情報配信サーバを含む情報配信システムに関するものである。さらに、該携帯端末および該情報配信サーバの制御プログラムおよび該プログラムを記録したコンピュータ読み取り可能な記録媒体に関するものである。
【背景技術】
【０００２】
従来から、ユーザの情報端末にサーバから情報をプッシュ型配信する技術がある。プッシュ型配信では、ユーザが何らかの操作をしなくても情報を配信・取得することができるため、例えば、株価情報の配信などで有用である。
【０００３】
また、プッシュ型配信を利用した技術として特許文献１、２に記載されたものがある。特許文献１では、受信契約者の位置と時刻とに応じて、情報提供のタイミングと提供する情報の内容を決定して、受信契約者に情報をプッシュ型配信で提供する技術が記載されている。
【０００４】
特許文献２には、ユーザの端末の場所、イベント発生地点、およびイベント発生時刻に応じて有用な情報をユーザ端末にプッシュ型配信で提供する技術が開示されている。
【先行技術文献】
【特許文献】
【０００５】
【特許文献１】特開２００２−２７８８８６号公報（２００２年９月２７日公開）
【特許文献２】特開２００３−１３１９６７号公報（２００３年５月９日公開）
【発明の概要】
【発明が解決しようとする課題】
【０００６】
プッシュ型配信において情報を受け取るためには、情報を配信するサーバ装置と情報を受信する端末装置との通信を常時接続しておく必要がある。しかしながら、端末装置において、サーバ装置との通信を常時接続する場合、常時接続を維持するために、通信に利用するハードウェアを休止状態にすることなく、常に稼動状態にしておく必要があるため、電力の消費量が増え、バッテリーの消耗が早くなってしまう。
【０００７】
また、上記特許文献１、２には、端末装置とサーバ装置との通信の接続のタイミングについては、何も記載されておらず、上述した問題は解決できない。
【０００８】
本発明は、上記の問題点に鑑みてなされたものであり、その目的は、プッシュ型配信で情報を受け取ることができるとともに、電力消費量を削減可能な携帯端末等を実現することにある。
【課題を解決するための手段】
【０００９】
上記課題を解決するために、本発明に係る携帯端末は、情報配信サーバから、プッシュ型配信により情報を受信する携帯端末であって、自装置の現在位置を所定のタイミングで周期的に取得する現在位置取得手段と、上記現在位置取得手段が取得した現在位置が所定の地域に含まれるとき、接続が確立すると、その後は接続が切断するまで任意のときにデータの送受信が可能である双方向通信接続を、上記情報配信サーバとの間で確立する双方向通信制御手段と、上記双方向通信制御手段が双方向通信接続を確立している間、上記情報配信サーバから情報をプッシュ型配信により受信する情報受信手段と、を備え、上記双方向通信制御手段は、上記双方向通信接続を確立した後、上記現在位置取得手段が取得した現在位置が上記所定の地域に含まれなくなったとき、上記双方向通信接続を切断することを特徴としている。
【００１０】
また、本発明に係る携帯端末の制御方法は、情報配信サーバから、プッシュ型配信により情報を受信する携帯端末の制御方法であって、自装置の現在位置を所定のタイミングで周期的に取得する現在位置取得ステップと、上記現在位置取得ステップで取得した現在位置が、所定の地域に含まれるとき、接続が確立すると、その後は接続が切断するまで任意のときにデータの送受信が可能である双方向通信接続を、上記情報配信サーバとの間で確立する双方向通信制御ステップと、上記双方向通信制御ステップで双方向通信接続を確立している間、上記情報配信サーバから情報をプッシュ型配信により受信する情報受信ステップと、上記双方向通信制御ステップで上記双方向通信接続を確立した後、取得した現在位置が上記所定の地域に含まれなくなったとき、上記双方向通信接続を切断する双方向通信切断ステップとを含むことを特徴としている。
【００１１】
上記の構成または方法によれば、取得した現在位置が所定の地域に含まれるとき、情報配信サーバと双方向通信接続を確立する。そして、情報配信サーバと双方向通信接続が確立している間、情報配信サーバから情報をプッシュ型配信で受信する。さらに、双方向通信接続が確立している間に、取得した現在位置が所定に地域に含まれなくなったとき、情報配信サーバとの双方向通信接続を切断する。
【００１２】
これにより、自装置が所定の地域に含まれている間のみ、情報配信サーバとの双方向通信接続を確立するので、常時、双方向通信接続を確立している場合と比較して電力の消費量を減少させることができる。また、双方向通信接続を確立している間は、情報配信サーバからプッシュ型配信により情報を受信することができる。
【００１３】
例えば、所定の地域をある商店街から所定距離の範囲とすると、当該商店街近傍に存在する携帯端末のみ、情報配信サーバと双方向通信接続を確立することができ、当該携帯端末に対し、商店街に関する情報（割引情報、商品情報、イベント情報等）をプッシュ型配信で配信することができる。
【００１４】
上記課題を解決するために、本発明に係る携帯端末は、情報配信サーバから、プッシュ型配信により情報を受信する携帯端末であって、自装置の現在位置を所定のタイミングで周期的に取得する現在位置取得手段と、現在時刻と取得する現在時刻取得手段と、上記現在位置取得手段が取得した現在位置が所定の地域に含まれ、かつ上記現在時刻取得手段が取得した現在時刻が所定の時間帯に含まれるとき、接続が確立すると、その後は接続が切断するまで任意のときにデータの送受信が可能である双方向通信接続を、上記情報配信サーバとの間で確立する双方向通信制御手段と、上記双方向通信制御手段が双方向通信接続を確立している間、上記情報配信サーバから情報をプッシュ型配信により受信する情報受信手段と、を備え、上記双方向通信制御手段は、上記双方向通信接続を確立した後、上記現在位置取得手段が取得した現在位置が上記所定の地域に含まれなくなったとき、または上記現在時刻取得手段が取得した現在時刻が上記所定の時間帯に含まれなくなったとき、上記双方向通信接続を切断することを特徴としている。
【００１５】
上記の構成によれば、取得した現在位置が所定の地域に含まれ、かつ現在時刻が所定の時間帯に含まれるとき、情報配信サーバと双方向通信接続を確立する。そして、情報配信サーバと双方向通信接続が確立している間、情報配信サーバから情報をプッシュ型配信で受信する。さらに、双方向通信接続が確立している間に、取得した現在位置が所定の地域に含まれなくなったとき、または現在時刻が所定の時間帯に含まれなくなったとき、情報配信サーバとの双方向通信接続を切断する。
【００１６】
これにより、自装置が所定の地域に含まれ、かつ現在時刻が所定の時間帯である間のみ、情報配信サーバとの双方向通信接続を確立するので、常時、双方向通信接続を確立している場合と比較して電力の消費量を減少させることができる。また、双方向通信接続を確立している間は、情報配信サーバからプッシュ型配信により情報を受信することができる。また、双方向通信接続を確立する時間帯を制限することにより、積極的に情報配信を行いたい時間帯のみ双方向通信接続を確立することや、情報配信を行う必要がない時間帯に双方向通信接続が確立されてしまうことを防止することができる。
【００１７】
本発明に係る携帯端末では、上記双方向通信設定手段は、上記現在位置取得手段が取得した現在位置に応じて、異なる情報配信サーバと上記双方向通信接続を確立するものであってもよい。
【００１８】
上記の構成によれば、現在位置に対応した情報配信サーバと双方向通信接続を確立することができる。
【００１９】
本発明に係る携帯端末では、上記現在位置取得手段が取得した現在位置から所定の範囲内の地域を上記所定の地域として定めた地域情報を取得する地域情報取得手段と、上記地域情報を格納している記憶部と、を備えているものであってもよい。
【００２０】
上記の構成によれば、現在位置近傍に所定の地域がある地域情報を取得することができるので、現在位置に対応した所定の地域で双方向通信接続を確立することができる。
【００２１】
上記課題を解決するために、本発明に係るサーバ装置は、プッシュ型配信で携帯端末に情報を配信する情報配信サーバであって、上記携帯端末から、接続が確立すると、その後は接続が切断するまで任意のときにデータの送受信が可能である双方向通信接続の要求を受け付けたとき、該携帯端末と上記双方向通信接続を確立する双方向通信制御手段と、所定のタイミングで周期的に、上記携帯端末から該携帯端末の現在位置を取得する携帯端末位置取得手段と、上記双方向通信制御手段が双方向通信接続を確立しているときに、上記携帯端末位置取得手段が取得した上記携帯端末の現在位置が第１地域に含まれる場合、該携帯端末に対し、該第１地域と対応付けられた情報をプッシュ型配信で配信する情報配信手段と、を備え、上記双方向通信制御手段は、上記情報配信手段が、上記第１地域と対応付けられた情報を全て配信したとき、上記携帯端末との上記双方向通信接続を切断することを特徴としている。
【００２２】
また、本発明に係るサーバ装置の制御方法は、プッシュ型配信で携帯端末に情報を配信する情報配信サーバの制御方法であって、上記携帯端末から、接続が確立すると、その後は接続が切断するまで任意のときにデータの送受信が可能である双方向通信接続の要求を受け付け、該携帯端末と上記双方向通信接続を確立する双方向通信制御ステップと、所定のタイミングで周期的に、上記携帯端末から該携帯端末の現在位置を取得する携帯端末位置取得ステップと、上記双方向通信制御ステップで双方向通信接続を確立しているときに、取得した上記携帯端末の現在位置が第１地域に入った場合、該携帯端末に対し、該第１地域と対応付けられた情報をプッシュ型配信で配信する情報配信ステップと、上記情報配信ステップで、上記第１地域と対応付けられた情報を全て配信したとき、上記携帯端末との上記双方向通信接続を切断する双方向通信切断ステップと、を含むことを特徴としている。
【００２３】
上記の構成または方法によれば、双方向通信接続が確立している携帯端末に対し、該携帯端末の現在位置が第１地域に含まれるとき、第１地域と対応付けられた情報を該携帯端末に対しプッシュ型配信で配信する。これにより、携帯端末の現在位置と対応した情報をプッシュ型配信で配信することができる。また、第１地域と対応付けられた情報を全て配信したとき、携帯端末との双方向通信接続を切断する。これにより、配信すべき情報が無いにもかかわらず、携帯端末との双方向通信接続を維持するということを防止することができ、携帯端末の電力消費量を抑制することができる。
【００２４】
本発明に係るサーバ装置では、上記情報配信手段は、上記携帯端末位置取得手段が取得した携帯端末の現在位置が、上記第１地域の一部である第２地域に含まれるとき、上記第２地域と対応付けられた情報をプッシュ型配信で配信するものであってもよい。
【００２５】
上記の構成によれば、携帯端末の現在位置が、第１地域の一部である第２地域に含まれるとき、第２地域と対応付けられた情報を携帯端末に対しプッシュ型配信する。これにより、特定の施設の入口付記に限定するなど、より狭い範囲の地域に関連した情報を配信することができる。
【００２６】
本発明に係るサーバ装置では、上記情報配信手段は、配信すべき情報が格納されているＵＲＬ（uniform resource locator）を示すデータを配信するものであってもよい。
【００２７】
上記の構成によれば、ＵＲＬを示すデータを配信する。よって、配信すべき情報のデータ量が多い場合に、いきなり、データ量が多い情報をプッシュ型配信で携帯端末に配信してしまい、サーバ装置の負荷を急上昇させることを防止することができる。
【００２８】
上記携帯端末と上記サーバ装置とを含む情報配信システムは、上記効果を奏することができる。
【００２９】
なお、上記携帯端末、およびサーバ装置は、コンピュータによって実現してもよく、この場合には、コンピュータを上記各手段として動作させることにより上記携帯端末、およびサーバ装置をコンピュータにて実現させる携帯端末制御プログラム、サーバ装置制御プログラム、およびこれらのいずれかを記録したコンピュータ読み取り可能な記録媒体も、本発明の範疇に入る。
【発明の効果】
【００３０】
以上のように、本発明に係る携帯端末は、自装置の現在位置を所定のタイミングで周期的に取得する現在位置取得手段と、上記現在位置取得手段が取得した現在位置が所定の地域に含まれるとき、接続が確立すると、その後は接続が切断するまで任意のときにデータの送受信が可能である双方向通信接続を、上記情報配信サーバとの間で確立する双方向通信制御手段と、上記双方向通信制御手段が双方向通信接続を確立している間、上記情報配信サーバから情報をプッシュ型配信により受信する情報受信手段と、を備え、上記双方向通信制御手段は、上記双方向通信接続を確立した後、上記現在位置取得手段が取得した現在位置が上記所定の地域に含まれなくなったとき、上記双方向通信接続を切断する構成である。
【００３１】
また、本発明に係る携帯端末の制御方法は、情報配信サーバから、プッシュ型配信により情報を受信する携帯端末の制御方法であって、自装置の現在位置を所定のタイミングで周期的に取得する現在位置取得ステップと、上記現在位置取得ステップで取得した現在位置が、所定の地域に含まれるとき、接続が確立すると、その後は接続が切断するまで任意のときにデータの送受信が可能である双方向通信接続を、上記情報配信サーバとの間で確立する双方向通信制御ステップと、上記双方向通信制御ステップで双方向通信接続を確立している間、上記情報配信サーバから情報をプッシュ型配信により受信する情報受信ステップと、上記双方向通信制御ステップで上記双方向通信接続を確立した後、取得した現在位置が上記所定の地域に含まれなくなったとき、上記双方向通信接続を切断する双方向通信切断ステップとを含む方法である。
【００３２】
これにより、自装置が所定の地域に含まれている間のみ、情報配信サーバとの双方向通信接続を確立するので、常時、双方向通信接続を確立している場合と比較して電力の消費量を減少させることができるという効果を奏する。また、双方向通信接続を確立している間は、情報配信サーバからプッシュ型配信により情報を受信することができるという効果を奏する。
【００３３】
また、本発明に係るサーバ装置は、携帯端末から、接続が確立すると、その後は接続が切断するまで任意のときにデータの送受信が可能である双方向通信接続の要求を受け付けたとき、該携帯端末と上記双方向通信接続を確立する双方向通信制御手段と、所定のタイミングで周期的に、上記携帯端末から該携帯端末の現在位置を取得する携帯端末位置取得手段と、上記双方向通信制御手段が双方向通信接続を確立しているときに、上記携帯端末位置取得手段が取得した上記携帯端末の現在位置が第１地域に含まれる場合、該携帯端末に対し、該第１地域と対応付けられた情報をプッシュ型配信で配信する情報配信手段と、を備え、上記双方向通信制御手段は、上記情報配信手段が、上記第１地域と対応付けられた情報を全て配信したとき、上記携帯端末との上記双方向通信接続を切断する構成である。
【００３４】
また、本発明に係るサーバ装置の制御方法は、携帯端末から、接続が確立すると、その後は接続が切断するまで任意のときにデータの送受信が可能である双方向通信接続の要求を受け付け、該携帯端末と上記双方向通信接続を確立する双方向通信制御ステップと、所定のタイミングで周期的に、上記携帯端末から該携帯端末の現在位置を取得する携帯端末位置取得ステップと、上記双方向通信制御ステップで双方向通信接続を確立しているときに、取得した上記携帯端末の現在位置が第１の所定の地域に入った場合、該携帯端末に対し、該所定の地域と対応付けられた情報をプッシュ型配信で配信する情報配信ステップと、上記情報配信ステップで、上記第１地域と対応付けられた情報を全て配信したとき、上記携帯端末との上記双方向通信接続を切断する双方向通信接続切断ステップと、を含む方法である。
【００３５】
これにより、携帯端末の現在位置と対応した情報をプッシュ型配信で配信することができるという効果を奏する。配信すべき情報が無いにもかかわらず、携帯端末との双方向通信接続を維持するということを防止することができ、携帯端末の電力消費量を抑制することができるという効果を奏する。
【図面の簡単な説明】
【００３６】
【図１】本発明の実施の形態を示すものであり、携帯端末の要部構成を示すブロック図である。
【図２】上記実施の形態に係るサーバ装置の要部構成を示すブロック図である。
【図３】本発明の概要を示す図である。
【図４】上記携帯端末の外観を示す図である。
【図５】上記携帯端末における表示例を示す図であり、(ａ)はログインの時の表示例を示す図であり、（ｂ）はログインが成功したときの表示例を示す図であり、（ｃ）、（ｄ）は情報を受信したときの表示例を示す図である。
【図６】上記携帯端末と上記サーバ装置とを含む情報配信システムにおける処理の流れを示すフローチャートである。
【図７】上記携帯端末と上記サーバ装置とを含む情報配信システムにおける処理の流れを示すフローチャートである。
【図８】上記携帯端末と上記サーバ装置とを含む情報配信システムにおける処理の流れを示すフローチャートである。
【図９】上記携帯端末と上記サーバ装置との間における通信データのデータ構造を示す図であり、（ａ）は認証要求のときのデータ構造を示す図であり、（ｂ）は認証おうとうのときのデータ構造を示す図であり、（ｃ）は位置情報リストを要求するときのデータ構造を示す図であり、（ｄ）は位置情報リストを送信するときのデータ構造を示す図であり、（ｅ）は双方向通信接続の認証を要求するときのデータ構造を示す図であり、（ｆ）は双方向通信接続の応答を送信するときのデータ構造を示す図である。
【図１０】上記携帯端末と上記サーバ装置との間における通信データのデータ構造を示す図であり、（ａ）は現在位置を送信するときのデータ構造を示す図であり、（ｂ）の（８−１）は接続維持要求を送信するときのデータ構造を示す図であり、（８−２）は送信メッセージをプッシュ型配信で配信するときのデータ構造を示す図であり、（８−３）は送信メッセージをＵＲＬ参照型で送信するときのデータ構造を示す図である。
【図１１】上記サーバ装置に格納されてるデータを説明するための図であり、（ａ）はユーザデータを示す図であり、（ｂ）は位置情報リストを示す図であり、（ｃ）は送信メッセージリストを示す図である。
【発明を実施するための形態】
【００３７】
〔概要〕
本発明の一実施の形態について図１〜図１１に基づいて説明すれば、以下のとおりである。まず、図３を参照して本実施の形態の概要を説明する。図３は、本実施の形態の概要を示す図である。図３に示すように、本実施の形態に係る情報配信システム５は、携帯端末１およびサーバ装置２を含み、サーバ装置２からインターネット（ネットワーク）３を介して携帯端末１に情報をプッシュ型配信するものである。
【００３８】
なお、本実施の形態では、携帯端末１とサーバ装置２とを携帯電話回線網との接続方法で接続しているが、通信の接続はこれに限られるものではない。情報の送受信が可能接続されたどのような接続方法であってもよく、例えば、８０２．１１無線通信、Bluetooth（登録商標）、Zigbee（登録商標）等によって実現されてもよい。また、本実施の形態では、携帯端末１とサーバ装置２との双方向通信で利用する通信規格として、 ＷｅｂＳｏｃｋｅｔを想定しているが、双方向通信を可能としているものであれば、これに限られるものではない。
【００３９】
そして、携帯端末１が予め指定された地域に入ったとき、および予め定められた時間帯に、携帯端末１とサーバ装置２との双方向通信の接続を確立して、サーバ装置２からプッシュ型配信による情報を携帯端末１に配信する。
【００４０】
例えば、△△△駅から所定距離以内の地域に入ったときに、携帯端末１はサーバ装置２と双方向通信の接続を確立する。そして、サーバ装置２は、△△△駅近郊のお店情報をプッシュ型配信で携帯端末１に配信する。これにより、携帯端末１のユーザは、△△△駅近郊に来た時に、△△△駅近郊のお店情報をプッシュ型配信で取得することができる。また、携帯端末１とサーバ装置２とは、所定の地域に入った場合のみ双方向通信の接続が確立されるので、後述する携帯端末の通信部を常時起動状態にしておく必要がなく、また、携帯端末１とサーバ装置２とを常時接続する必要がなくなり、携帯端末１のバッテリーの消耗を抑制することができる。
【００４１】
〔携帯端末１の構成〕
次に、携帯端末１の構成について、図１、４を参照して説明する。図１は、本実施の形態にかかる携帯端末１の要部構成を示すブロック図である。図１に示すように、携帯端末１は、制御部１０、通信部１１、操作受付部１２、表示部１３、撮像部１４、音声入出力部１５、振動部１６、位置取得部１７、記憶部１８、およびワークメモリ１９を含む構成である。
【００４２】
通信部１１は、携帯電話通信網およびインターネット３を介してサーバ装置２との通信を接続し、サーバ装置２との情報の送受信を行う。
【００４３】
操作受付部１２は、携帯端末１に対する操作を受け付けるものであり、例えば、表示部１３を構成するタッチパネル、各種機能を実行するためのボタン等で構成される。
【００４４】
表示部１３は、各種情報等を表示するものであり、液晶パネル等によって構成される。
【００４５】
撮像部１４は、被写体等の撮像を行うものであり、ＣＭＯＳ（Complementary Metal Oxide Semiconductor）またはＣＣＤ（Charge-coupled device）カメラ等により構成されている。
【００４６】
音声入出力部１５は、音声入力および音声出力を行うものであり、マイクおよびスピーカ等により構成される。
【００４７】
振動部１６は、携帯端末１を振動させるものである。
【００４８】
位置取得部１７は、携帯端末１の位置を取得するものであり、例えばＧＰＳ（Global Positioning System）の受信モジュールにより構成される。
【００４９】
なお、位置情報の取得はＧＰＳに限られるものではなく、例えば屋内の場合であれば、施設内の各所に置かれたＲＦＩＤ（Radio Frequency IDentification）タグを読み取るＲＦＩＤレシーバを搭載してもよいし、無線ＬＡＮの電波強度により位置情報を特定する方法であってもよい。
【００５０】
記憶部１８は、携帯端末１で用いる各種データ、携帯端末１に実行される各種プログラム等を格納しており、位置情報リスト２４を含む。記憶部１８は、フラッシュメモリ等の不揮発性メモリにより構成されている。
なお、各種データには、例えば、サービスアプリケーション、アプリケーションの設定情報等が含まれている。また、記憶部１８には、サーバ装置２から配信された送信メッセージも格納されている。
【００５１】
位置情報リストＤＢ２４は、携帯端末１がサーバ装置２と通信を接続する地域を設定するためのリストである位置情報リストを格納している。位置情報リストの詳細については後述する。
【００５２】
ワークメモリ１９は、一時的に処理中のデータを格納するメモリであり、一時的な記憶が可能なＤＲＡＭ（Dynamic Random Access Memory）等によって構成されている。
【００５３】
制御部１０は、携帯端末１の各種機能を実行するものであり、双方向通信設定部２１、位置情報リスト要求部２２、およびデータ処理部２３を含む構成である。
【００５４】
双方向通信設定部２１は、サーバ装置２との双方向通信を設定（双方向通信接続の確立）するものである。より詳細には、双方向通信設定部２１は、位置取得部１７が受け取った携帯端末１の現在位置が、位置情報リストＤＢ２４に含まれる位置情報リストに記載されている位置に含まれるか否かを判定し、含まれると判定した場合は、サーバ装置２との双方向通信を設定する。双方向通信の設定処理の詳細については後述する。
【００５５】
位置情報リスト要求部２２は、サーバ装置２に対し、位置情報リストを要求し、サーバ装置２から位置情報リストを取得するものである。また、位置情報リスト要求部２２は、取得した位置情報リストを位置情報リストＤＢ２４に格納する。
【００５６】
データ処理部２３は、サーバ装置２からプッシュ型配信された情報を表示部１３に表示させるものである。
【００５７】
次に、携帯端末１の外観について、図４を参照して説明する。図４は、携帯端末１の外観を示す図である。図４に示すように、携帯端末１は、タッチパネル機能を備えた表示部１３を備え、電源ボタン、メニューボタン、ホームボタン、戻るボタンにより構成されている。
【００５８】
電源ボタンは、長押しすることにより、携帯端末１の電源のオン／オフを行うものである。また、電源ボタンを短押しすることにより、休止状態、遷移／復帰の操作をおこなうことができる。
【００５９】
表示部１３に備えられたタッチパネル（操作受付部１２）により、携帯端末１に対する操作を行うことができる。具体的には、表示部１３に表示されているオブジェクトをタップすることにより各種操作を行うことができる。
【００６０】
「戻る」ボタンを操作することにより、１つ前の画面に遷移できる。また、「ホーム」ボタンを操作することにより、トップ画面にダイレクトに遷移することができる。
【００６１】
「メニュー」ボタンは、押下されると、アプリケーションに応じて操作メニューを表示する。
【００６２】
なお、ここでは、いわゆるスマートフォンと呼ばれる多機能携帯端末を例に挙げているが、本実施の形態はこれに限られるものではなく、自装置の位置の取得、情報の表示、サーバ装置２との送受信ができるものであれば、どのようなものによって構成されていてもよい。
【００６３】
〔サーバ装置２の構成〕
次に、サーバ装置２の構成について、図２を参照して説明する。図２は、サーバ装置２の要部構成を示すブロック図である。図２に示すように、サーバ装置２は、制御部５０、操作受付部５１、記憶部５２、ワークメモリ５３、および通信部５４を含む構成である。
【００６４】
操作受付部５１は、サーバ装置２に対する操作を受け付けるものであり、キーボード等によって構成される。
【００６５】
記憶部５２は、各種データを格納しており、ユーザデータＤＢ６４、位置情報リストＤＢ６５、および送信データリストＤＢ６６を含む。
【００６６】
ユーザデータＤＢ６４は、携帯端末１のユーザに関するデータであるユーザデータを格納している。ユーザデータの詳細について、図１１(ａ)を参照して説明する。図１１（ａ）は、ユーザデータを示す図である。図１１（ａ）に示すように、ユーザデータは、“ユーザＩＤ”、“パスワード”、“なまえ”、“セッションキー”、および“位置情報リスト送信日時”が含まれている。“ユーザＩＤ”は、ユーザを識別するためのＩＤである。“パスワード”は、双方向通信を設定するためにログインするときのパスワードである。“なまえ”は、ユーザの名称である。“セッションキー”は、双方向通信のセッションを識別するための文字列である。“位置情報リスト送信日時”は、位置情報リストを送信した日時を示すものである。
【００６７】
位置情報リストＤＢ６５は、携帯端末１がサーバ装置２と通信を接続するための地域を設定する位置情報リストの格納している。なお、携帯端末１の位置情報リストＤＢ２４に格納されている位置情報リストは、この位置情報リストＤＢ６５に格納されている位置情報リストが送信されたものである。位置情報リストの詳細については、後述する。
【００６８】
送信メッセージリストＤＢ６６は、携帯端末１に送信すべきメッセージである送信メッセージ、および該送信メッセージの送信履歴のデータベースである。送信メッセージリストの詳細について、図１１（ｃ）を参照して説明する。図１１（ｃ）に示すように、送信メッセージリストは、“メッセージＩＤ”、“名称”、“ＵＲＬ”、“送信済みユーザＩＤリスト”が含まれている。“メッセージＩＤ”は、当該送信メッセージを識別するためのＩＤである。“名称”は、当該送信メッセージの名称である。“ＵＲＬ”は、メッセージ本体を取得するためのＵＲＬを示すものである。なお、“ＵＲＬ”は必須ではなく、メッセージ本体のデータ量が少なければ、“ＵＲＬ”ではなくメッセージ本体を含めてもよい。すなわち、メッセージ本体のデータ量により、所定値以下のものは、メッセージ本体そのものをプッシュ型配信により送信し、所定値よりも大きいものはＵＲＬのみプッシュ型配信により送信する。“送信済みユーザＩＤリスト”は、当該送信メッセージを送信したユーザを示すユーザＩＤのリストである。
【００６９】
ワークメモリ５３は、一時的に処理中のデータを格納するメモリであり、一時的な記憶が可能なＤＲＡＭ（Dynamic Random Access Memory）等によって構成されている。
【００７０】
通信部５４は、インターネット３を介して、携帯端末１に対し、位置情報リスト、各種情報等の送受信するものである。
【００７１】
制御部５０は、サーバ装置２の各種機能を実行するものであり、双方向通信設定部６１、位置情報リスト送信部６２、およびデータプッシュ部６３を含む構成である。
【００７２】
双方向通信設定部６１は、携帯端末１からの要求により、携帯端末１との双方向通信を設定するものである。
【００７３】
位置情報リスト送信部６２は、携帯端末１に、位置情報リストを送信するものである。位置情報リストの送信のタイミングは、特に限定されない。
【００７４】
データプッシュ部６３は、携帯端末１が所定の位置に存在する場合に、当該位置に対応する送信メッセージ情報を携帯端末１にプッシュ型配信するものである。
【００７５】
〔情報配信の処理の流れ〕
次に、サーバ装置２から携帯端末１に、送信メッセージをプッシュ型配信する処理の流れについて、図５〜１１を参照して説明する。図５は、携帯端末１の画面例を示す図であり、図６〜８は情報配信の処理の流れを示すフローチャートであり、図９〜１１は、データ構造を示す図である。
【００７６】
図６に示すように、まず、携帯端末１において、情報のプッシュ型配信を受けるサービスにログインを行う（Ｓ１０１）。ログインを行うための認証画面例を図５（ａ）に示す。図５（ａ）に示すように、認証画面では、ユーザＩＤとパスワードとを入力する。そして携帯端末１は、ユーザＩＤとパスワードをサーバ装置２に対しＨＴＴＰで送信し認証の要求を行う（Ｓ１０２）。認証要求のデータ構造について図９（ａ）に示す。図９（ａ）に示すように、認証要求はユーザＩＤとパスワードが含まれている。
【００７７】
認証要求の受けたサーバ装置２は（Ｓ２０１）、ユーザ認証を行い（Ｓ２０２）、認証結果を携帯端末１に送信する（Ｓ２０３）。認証結果の送信データのデータ構造を図９（ｂ）に示す。図９（ｂ）に示すように、認証結果の送信データには、認証の成功または失敗の結果とログインセッションを識別するための文字列であるセッションキーが含まれている。セッションキーは、ＨＴＴＰによる認証と、双方向通信とを結びつけるために使用される。
【００７８】
携帯端末１は、サーバ装置２から認証結果を受け取ると（Ｓ１０３）、認証結果を表示する（Ｓ１０４）。認証結果の表示画面例を図５（ｂ）に示す。図５（ｂ）では、認証が成功した場合の画面例が示されている。
【００７９】
そして、認証が成功すると（Ｓ１０４でＹＥＳ）、携帯端末１は現在位置を取得して（Ｓ１０５）、サーバ装置２に対し、位置情報リストを要求する（Ｓ１０６）。位置情報リストの要求データのデータ構造を図９（ｃ）に示す。図９（ｃ）に示すように、位置情報リストの要求データには、携帯端末１の現在位置を示す情報（図９（ｃ）に示す例では、緯度と経度）が含まれている。
【００８０】
位置情報リストの要求を受けたサーバ装置２は（Ｓ２０４）、携帯端末１の位置に対応する位置情報リストを携帯端末１に送信する（Ｓ２０５）。位置情報リストの送信データのデータ構造を図９（ｄ）に示す。図９（ｄ）に示すように、位置情報リストの送信では、“名称”、“双方向通信先”、“接続時刻”、“基準位置範囲１”、“基準位置範囲２”を示す情報である。このとき、サーバ装置２は、図１１（ｂ）に示す位置情報リストのうち、ロケーションに関する情報以外の部分を送信する。
【００８１】
ここで、“双方向通信先”とは、双方向通信を行うための接続先を示すものである。“接続時刻”は、双方向通信を行う時刻を示すものである。“基準位置範囲１”、“基準位置範囲２”は双方向通信を行う地域を示すものである（地域情報）。なお、地域は、“基準位置範囲１”と“基準位置範囲２”とで示される点を結ぶ直線が対角線となる矩形に含まれる範囲（所定の地域）とする。
【００８２】
携帯端末１は、位置情報リストを受信し（Ｓ１０７）、再び現在位置を取得する（Ｓ１０８）。そして、現在位置が取得している位置情報リストの基準位置範囲に含まれるか否か、および接続時刻に含まれるか否かを判定し（Ｓ１０９）、含まれる場合は（Ｓ１０９でＹＥＳ）、サーバ装置２に対し双方向通信の接続を要求する（Ｓ１１２）。双方向通信の要求データのデータ構造を図９（ｅ）に示す。図９（ｅ）に示すように、双方向通信の要求データには、Ｓ１０３にて携帯端末１がサーバ装置２から取得したセッションキーが含まれている。
【００８３】
一方、現在位置が、取得している位置情報リストの基準位置範囲に含まれていない場合、または接続時刻に含まれていない場合（Ｓ１０９でＮＯ）、携帯端末１はそのまま５分待機する（Ｓ１１０）。そして、再び現在位置を取得し、前回取得した位置より所定距離より離れている場合は（Ｓ１１１でＹＥＳ）ステップＳ１０６へ進む。また、所定距離の範囲内である場合は（Ｓ１１１でＮＯ）、ステップＳ１０８へ進む。
【００８４】
双方向通信の要求を受けたサーバ装置２は（Ｓ２０６でＹＥＳ）、双方向通信を要求してきた携帯端末１を認証し（Ｓ２０８）、認証が成功すると成功通知を携帯端末１に送信する（Ｓ２０８）。成功通知のデータ構造を図９（ｆ）に示す。図９（ｆ）に示すように、成功通知には、認証が成功したことを示すデータが含まれている。
【００８５】
携帯端末１が、双方向通信の認証が成功したことをサーバ装置２から受信し（Ｓ１１３）、携帯端末１とサーバ装置２との間で双方向通信の接続が確立する（Ｓ１１４、Ｓ２０９）。
【００８６】
携帯端末１とサーバ装置２との間で双方向通信の接続が確立すると、携帯端末１はデータ受信・表示処理に入り（Ｓ１１５）、サーバ装置２はデータプッシュ処理に入る（Ｓ２１０）。データ受信・表示処理、データプッシュ処理の詳細は後述する。
【００８７】
データプッシュ処理において、全ての送信メッセージの配信が終了すると（Ｓ２１１でＹＥＳ）、サーバ装置２は、携帯端末１に対し双方向通信の接続を切断する指示を送信する。
【００８８】
また、携帯端末１は、データ受信・表示処理を行い、定期的に現在位置を取得する（Ｓ１１６）。そして、切断条件に一致すると（Ｓ１１７でＹＥＳ）、サーバ装置２との双方向通信を切断する（Ｓ１２０）そして、ステップＳ１０８に進む。
【００８９】
ここで、切断条件は、下記の通りである。
（ａ）現在位置および現在時刻が、位置情報リストに含まれていない。
（ｂ）サーバ装置２によって指定された接続継続時間の経過。
（ｃ）サーバ装置２から切断指示を受信。
【００９０】
また、切断条件に一致しない場合（Ｓ１１７でＮＯ）、携帯端末１の電源ボタン操作により、電源操作電源がオフになった場合、（Ｓ１１８でＹＥＳ）、双方向通信を切断して（Ｓ１１９）、処理を終了する。
【００９１】
次に、携帯端末１におけるデータ受信・表示処理、サーバ装置２におけるデータプッシュ処理の流れについて、図８を参照して説明する。
【００９２】
携帯端末１は、現在位置を取得し（Ｓ１５１）、サーバ装置２に送信する（Ｓ１５２）。送信する現在位置データのデータ構造を図１０（ａ）に示す。図１０（ａ）に示すように、現在位置データには、現在位置を示す情報（緯度、経度）と双方向通信のデータ型の識別情報が含まれている。
【００９３】
現在位置を取得したサーバ装置２は（Ｓ２５１でＹＥＳ）、取得した現在位置を格納するとともに（Ｓ２３２）、現在位置と送信メッセージリストＤＢ６６に含まれている送信メッセージリストとから送信すべきメッセージがあるか否かを確認する（Ｓ２５３）。送信すべきメッセージがあるか否かは、現在位置が“位置範囲”で指定される地域に含まれるとともに、対象となる送信メッセージを過去に同じユーザに送信していないか否かによって判定する。
【００９４】
そして、通知すべき送信メッセージがあれば（Ｓ２５４でＹＥＳ）、携帯端末１に送信メッセージを通知する（Ｓ２５５）。送信メッセージを通知するデータのデータ構造を図１０（ｂ）に示す。図１０（ｂ）の（８−２）および（８−３）に示すように、送信メッセージを通知するデータには、メッセージデータ本体か、またはメッセージを確認できるＵＲＬを示すデータかが含まれている。これは、送信すべきメッセージのデータ量によって使い分ければよい。また、サーバ装置２から携帯端末１へは、図１０（ｂ）の（８−１）に示す、接続維持要求データが送信されている。接続維持要求データは、位置情報リスト送信時の時刻から一定時間(例えば、１０分)後に送信している。
【００９５】
また、図１１（ｂ）に示すように、サーバ装置２で管理される位置情報リストには、“基準位置管理ＩＤ”、“基準位置名称”、“双方向通信先”、“接続時刻”、“基準位置範囲１”、“基準位置範囲２”および、“ロケーション管理ＩＤ”、“名称”、“位置範囲１”、“位置範囲２”、“メッセージＩＤ”が含まれている。
【００９６】
“ロケーション管理ＩＤ”は、送信メッセージをプッシュ型配信するための情報を管理するためのＩＤである。“位置範囲１”、“位置範囲２”は、送信メッセージをプッシュ型配信する地域を示すものである。なお、地域は“基準位置範囲”と同様に設定する。“メッセージＩＤ”は、プッシュ型配信する送信メッセージを特定するものである。
“ロケーション管理ＩＤ”から“メッセージＩＤ”までの部分は、複数設定することができる。複数設定することにより、異なる範囲の地域（例えば、第１地域、第２地域）で送信メッセージを送信することが可能となる。
【００９７】
接続維持要求を受信した携帯端末１は（Ｓ１５３でＹＥＳ）、双方向通信の接続終了時刻を記憶する（Ｓ１５４）。
【００９８】
さらに、携帯端末１は、サーバ装置２から送信メッセージを受信すると（Ｓ１５５でＹＥＳ）、受信した送信メッセージを表示部１３に表示する（Ｓ１５６）。なお、送信メッセージは表示に限られず、音声や振動による報知であってもよい。
【００９９】
受信した送信メッセージがＵＲＬを参照する形式であった場合（Ｓ１５７でＹＥＳ）、携帯端末１は、ユーザの指示に従い、サーバ装置２に対し送信メッセージ本体（データ実体）を要求する（Ｓ１５８）。送信メッセージ本体の要求を受けたサーバ装置２は（Ｓ２５６でＹＥＳ）、送信メッセージ本体を携帯端末１に送信する（Ｓ２５７）。そして、送信メッセージ本体を受信した携帯端末１は（Ｓ１５９）、送信メッセージ本体を表示する（Ｓ１６０）。
【０１００】
送信メッセージが表示される表示例について、図５（ｃ）、（ｄ）に示す。図５では、２段階で送信メッセージが表示される例を示しており、第１地域に入ったときの表示例を図５（ｃ）に示し、第１地域よりも狭い第２地域に入ったときの表示例を図５（ｄ）に示している。ここでは、第１地域が店舗（ホームセンター  トメリ）が目視できるような範囲で、第２地域が店舗入口付近を想定し、ユーザが店舗を目視できる範囲に来たとき、店舗のクーポン（図５（ｃ））が配信され、店舗の入口を入ろうとすると、お買い得情報（図５（ｄ））が配信される。
【０１０１】
なお、上記実施の形態では、位置情報によって、送信メッセージを送信する地域を設定したが、位置情報を地域ではなく地点で設定し、当該地点との距離を位置取得部１７で取得して、距離が所定値以下の範囲を、送信メッセージを送信する地域と設定してもよい。
【０１０２】
以上のように、本実施の形態では、携帯端末１が位置情報リストに示される基準位置範囲に入ったとき、サーバ装置２と双方向通信接続が確立する。そして、携帯端末１が位置情報リストに示される位置範囲に入ったとき、サーバ装置２から送信メッセージがプッシュ型配信で配信される。また、位置範囲が複数設定されている場合、異なる範囲で送信メッセージがプッシュ型配信で配信される。さらに、携帯端末１が基準位置範囲から出た場合等、切断条件を満たした場合、携帯端末１とサーバ装置２との双方向通信接続が切断される。
【０１０３】
よって、本実施の形態によれば、サーバ装置２から携帯端末１に対しプッシュ型配信で情報を配信しつつ、携帯端末１の電力消費量を抑制することができる。
【０１０４】
〔情報配信例〕
本実施の形態により、情報を配信する例として以下のものが考えられる。
【０１０５】
デパートに入店したとき、双方向通信接続を確立し、売り場に近づいたら、当該売り場のセール情報を配信する。
【０１０６】
美術館の敷地に入ったとき、双方向通信接続を確立し、展示の前に来たとき、当該展示物の詳細情報を配信する。
【０１０７】
また、海岸線に近づいたとき、双方向通信を確立し、地震が起こったとき、津波警報を配信するようにしてもよい。
【０１０８】
〔ソフトウェアによる構成〕
最後に、携帯端末１およびサーバ装置２の各ブロックは、集積回路（ＩＣチップ）上に形成された論理回路によってハードウェア的に実現していてもよいし、ＣＰＵ（central processing unit）を用いてソフトウェア的に実現してもよい。
【０１０９】
後者の場合、携帯端末１およびサーバ装置２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末１およびサーバ装置２の制御プログラムのプログラムコード（実行形式プログラム、中間コードプログラム、ソースプログラム）をコンピュータで読み取り可能に記録した記録媒体を、上記の携帯端末１およびサーバ装置２に供給し、そのコンピュータ（またはＣＰＵやＭＰＵ（micro processing unit））が記録媒体に記録されているプログラムコードを読み出し実行することによっても、達成可能である。
【０１１０】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（登録商標）（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１１１】
また、携帯端末１およびサーバ装置２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ（Universal Serial Bus）、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１２】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【０１１３】
所定の地域において、プッシュ型配信によって情報を受け取ることができるので、携帯可能な通信端末等に好適である。
【符号の説明】
【０１１４】
１    携帯端末
２    サーバ装置（情報配信サーバ）
３    インターネット
５    情報配信システム
１７    位置取得部（現在位置取得手段）
２１    双方向通信設定部（双方向通信制御手段）
２２    位置情報リスト要求部（地域情報取得手段）
２３    データ処理部（情報受信手段）
６１    双方向通信設定部（双方向通信制御手段）
６２    位置情報リスト送信部
６３    データプッシュ部（携帯端末位置取得手段、情報配信手段）
【図１】
2014056399.tif 000003
【図２】
2014056399.tif 000004
【図３】
2014056399.tif 000005
【図４】
2014056399.tif 000006
【図５】
2014056399.tif 000007
【図６】
2014056399.tif 000008
【図７】
2014056399.tif 000009
【図８】
2014056399.tif 000010
【図９】
2014056399.tif 000011
【図１０】
2014056399.tif 000012
【図１１】
2014056399.tif 000013